(57)【特許請求の範囲】
【請求項１】
ヒューズホルダ及びコネクタ組立体において、
一対のハウジング部材であって、各ハウジング部材が連結室、端部に壁を有するヒューズ室、及び、上記連結室と上記ヒューズ室との間を延びると共に前記壁に固定的に装着される導電性部材を有し、上記導電性部材が当該連結室内に位置する弾丸状部分と、当該ヒューズ室内に位置するヒューズ係合部材とを有し、該連結室がネジ内壁を有する一対のハウジング部材；及び
上記連結室の上記ネジ内壁にネジ係合するようになった外ネジ表面を有する一対の雄型クランプ部材であって、上記各雄型クランプ部材が第１の端部と第２の端部とを備えた貫通穴を有し、上記第１の端部が連結すべきワイヤ端部を受け入れるようになっており、上記第２の端部が上記弾丸状端部と共働して当該弾丸状端部と当該第２の端部との間で上記連結すべきワイヤ端部をクランプするようになっている一対の雄型クランプ部材；を有し、
上記各ハウジング部材が共働する相互係合固定端部をそれぞれ有することを特徴とするヒューズホルダ及びコネクタ組立体。
【請求項２】
回路を溶着し、２つの絶縁ワイヤを連結するためのヒューズホルダ及びコネクタ組立体において、
一対の管状のハウジング部材であって、各ハウジング部材が連結室、端部に壁を有するヒューズ室、及び、上記連結室と上記ヒューズ室との間を延びると共に前記壁に固定的に装着される導電性部材を有し、上記導電性部材が当該連結室内に位置する弾丸状部分と、当該ヒューズ室内に位置するヒューズ係合部分とを有し、該連結室がネジ内壁を有する一対の管状のハウジング部材；及び
上記連結室の上記ネジ内壁にネジ係合するようになった外ネジ表面を有するクランプ部材であって、上記各クランプ部材が第１の端部と第２の端部とを備えた貫通穴を有し、上記第１の端部が連結すべきワイヤ端部を受け入れるようになっており、上記第２の端部が上記弾丸状端部と共働して当該弾丸状端部と当該第２の端部との間で上記連結すべきワイヤ端部をクランプするようになっているクランプ部材；
を有し、上記各管状のハウジング部材が、上記ヒューズ室をそれぞれ取り巻く、共働するネジ端部をそれぞれ有することを特徴とするヒューズホルダ及びコネクタ組立体。
【請求項３】
電気回路を溶着し、上記電気回路内の２以上の可撓性電気ワイヤの自由端部を突き合わせるためのヒューズコネクタにおいて、
端部に一対の対向する壁を有する少なくとも一対の連結室と、ヒューズ室とを有し、上記各連結室がネジ穴をそれぞれ有するようになった非導電性の本体部材と；
一対の導電性部材とを備え、各導電性部材は、
（イ）それぞれが上記連結室の１つ内へ延びる弾丸状端部と、
（ロ）上記非導電性の本体部材内に固定された中央部分と、
（ハ）上記ヒューズ室内に位置したヒューズ接触部分と、を有し；
前記ヒューズコネクタは更に、
少なくとも一対の中空の非導電性雄型部材であって、各中空の非導電性雄型部材が上記弾丸状端部の形状に対応する形状の内表面と、上記ネジ穴にネジ係合するようになったネジ外表面部分とをそれぞれ有する少なくとも一対の中空の非導電性雄型部材；
を有し、上記ヒューズ室が一緒に相互係止結合される２つの部分により構成されており；
もって、上記２以上の可撓性ワイヤのそれぞれの自由端部を上記連結室内へそれぞれ収容することができ、
上記中空の非導電性雄型部材が上記本体部材に関して軸方向に移動し、上記ヒューズ室内のヒューズが上記一体の導電性部材に電気的に連結されたときに、当該少なくとも一対の中空の非導電性雄型部材の各々が上記ネジ穴とネジ係合して、上記対応する形状の表面と上記弾丸状端部との間で当該２以上の可撓性電気ワイヤの当該端部をクランプ係合させることを特徴とするヒューズコネクタ。
【発明の詳細な説明】
関連出願
この出願は「迅速多重接続電気コネクタ」なる名称の１９９６年１０月３日付で出願された共願の特許出願番号第０８／７２０，９１２号の一部継続出願である。
発明の背景
上記特許出願番号第０８／７２０，９１２号明細書では、多数の盲連結室を設けた迅速多重接続電気コネクタが開示されている。その発明の好ましい実施の形態においては、弾丸状の導電性部材が非導電性の雌型カップリングの各連結室内に固定され、連結すべき各ワイヤの端部に対して１つの連結室を設ける。
連結室の内壁はネジ部を備え、各連結室が非導電性の雄型カップリング部材をネジ式に受け入れるようになっている。各雄型カップリング部材は、本出願人に係る米国特許第５，２２８，８７５号明細書に開示されたようなワイヤ端部を案内しワイヤ端部を共通の電気コネクタにクランプする非導電性の雄型カップリング部材の穴及び形状と同様に形状づけられた貫通穴を有する。非導電性の雄型カップリング部材は導電性の金属コネクタ部材の円錐状又は弾丸状の端表面に対応する円錐状の環状壁を備えた第１の端部を有する。雄型カップリング部材及び金属導体コネクタ部材の円錐状の表面はある距離だけ離れて位置していて、ワイヤ端部を受け取り、裸の端ワイヤを穴へ挿入したときに、端ワイヤが穴の中心へ案内され、次いで、金属コネクタの円錐状の端表面により広げられ、離間した円錐表面間に位置決めされるようになっている。雄型／雌型部材の一方を相対的に回転させると、ネジが係合し、距離を減少させ、ワイヤの裸の端部を円錐表面間でクランプする。
本発明によれば、共通のコネクタ部材はヒューズホルダを有する。本発明によれば、一対の管状ハウジング部材の各々は連結室と、ヒューズ室又はその一部と、連結室とヒューズ室との間を延びる導電性の部材とをそれぞれ有する。導電性の部材は連結室内に位置する弾丸状の部分と、ヒューズ室（又はその一部）内に位置するヒューズ係合部分とを有する。従って、非導電性のハウジング部材は２つの部品として形成され、ハウジングはヒューズ室部分を取り巻く共働するネジ端部（又は他の相互係止係合部）をそれぞれ有する。
従って、本発明の目的は、回路を溶着し、組立体間の２つの絶縁ワイヤを連結するためのヒューズホルダ及びコネクタ組立体であって、使用が容易で、どんな種類の工具をも使用することなくワイヤを確実にクランプでき、比較的低いコストのヒューズホルダ及びコネクタ組立体を提供することである。
図面の説明
本発明の上述及び他の目的、利点並びに特徴は以下の説明及び添付図面を参照することにより一層明らかとなろう。
第１ａ図は上述の共願の特許出願明細書に開示されたコネクタの外視図、
第１ｂ図は、２つのワイヤがコネクタにより一緒に結合された状態での、上述の共願の特許出願明細書に開示されたコネクタを示す断面図、
第２図は本発明を組み込んだヒューズホルダ及びコネクタ組立体の断面図、
第３図はヒューズ室内のヒューズと一緒に結合された第２図のコネクタを示す断面図、
第４図はヒューズハウジング部分の相互係合の別の実施の形態を示す図である。
発明の詳細な説明
第１図を参照すると、一対のワイヤ１３、１４のワイヤ裸端部１１、１２をそれぞれ連結するための電気コネクタ１０が示されている。コネクタは円形、正方形、三角形又は他の形状とすることができる非導電性の第１のカップリング部材１５を有する。非導電性のカップリング部材１５は連結室１６、１７（第１ｂ図参照）のためのハウジングを形成する。各連結室は、それぞれ内ネジ壁１８、１９と、共通の金属コネクタ部材２１を装着又は固定する仕切り部材２０とを有する。金属コネクタ部材２１は、適所にモールド成形され又は接着され又は他の方法で固定されることにより、仕切り２０内に固定的に装着される。共通の金属コネクタ部材２１は連結室１６、１７内へそれぞれ突出する一対のビュレット状又は円錐状の突起２２、２３をそれぞれ有する。
一対の非導電性の第２のカップリング部材３０、３１は外ネジ壁３２、３３をそれぞれ有し、それぞれ指把持部材３４、３５となるようにローレットが設けてある。外ネジ壁３２、３３は内ネジ穴１８、１９とそれぞれネジ係合する。各非導電性の第２のカップリング部材３０、３１は内方へ突出する部材３８、３９を備えた貫通穴３６、３７をそれぞれ有する。第１の円錐状の表面４０、４１は貫通穴の狭い部分を構成する頂点端部４２、４３を有する。円錐状の表面４０、４１は緩いワイヤストランドを頂点端部へ案内し、そこから金属コネクタ部材２１のビュレット端部２２、２３上へ案内する機能を果たす。頂点端部４３の反対側は第２の円錐状の表面４４、４５をそれぞれ含み、これらの表面は弾丸状又は円錐状の端部２２、２３と協働してクランプ空間を形成し、裸のワイヤ端部１１、１２が連結部材２１の弾丸状の端部２２、２３によりこのクランプ空間内へ広げられ、案内される。頂点端部はワイヤの絶縁体が第１及び第２の円錐状表面間の空間内に詰まるのを阻止する。従って、電気ワイヤの裸のワイヤ端部が第２のカップリング部材の貫通穴の第２の端部へ挿入されたとき、裸のワイヤ端部は弾丸状の端表面により中央軸線から離れるように案内され、円錐状の表面間で位置決めされる。使用者が部材３４、３５を掴んで、カップリング部材３０、３１を内方へ移動させるような方向へ部材３４、３５を回転させたとき、裸のワイヤ端部１１、１２は円錐状の表面４４、４５と弾丸状の端部との間でそれぞれ緊密に把持又はクランプされる。ワイヤ１１、１２は同時又は別個にクランプできる。ハウジング部材１５上にもローレットを設けることができる。第１ｂ図は本発明に従って適所にクランプされたワイヤ端部を示す。
本発明
ここで、第２、３図を参照すると、第１ａ、１ｂ図の開示に対応する同様の部品は同じ符号で示す。裸のワイヤ端部をクランプする技術は先に説明したものと同じであり、説明は繰り返さない。
図示のように、弾丸状端部を有する導電性素子が別個の部材として設けられ、ハウジングがヒューズ室Ｆ１、Ｆ２をそれぞれ有する２つの部分１５Ｌ、１５Ｒに分割されている。各弾丸状の導電性部材２２’、２３’は壁Ｗ１、Ｗ２内に固定的に装着され、ヒューズ室Ｆ１、Ｆ２の端部を形成するヒューズ係合部分即ちボタン６０、６１を具備する。ヒューズ室Ｆ１、Ｆ２又はヒューズ室部分はネジ部分６３、６４の如き協同するカップリング素子をそれぞれ具備し、選択された規格のヒューズＦＵがヒューズ室Ｆ１、Ｆ２内に取り付けられ、ネジ部６３、６４が相互係合したとき、ボタン６０、６１間の回路電気導通がヒューズＦＵを介して完成し、ワイヤが連結された回路を溶着する。ボタン６０、６１の代わりに、バネフィンガを組み込んで、ネジ係合６３、６４がボタン６０、６１とヒューズ素子ＦＵとの間の導通接触を確立しなかった場合に、バネ接点がその導通を行うようにすることができることを認識されたい。
また、ネジカップリング素子６３、６４の代わりに、軸方向の区分７０Ａと、回転区分７０Ｒと、係止区分７０Ｌとを備えた形状溝穴７０（各側に１つ）を有するようにヒューズ室部分Ｆ１’の壁をモールド成形することができ、共働する突起７１を反対側のヒューズハウジング部分Ｆ２’に設ける。突起７１は溝穴部分７０内に嵌合し、突起７１が溝穴に着底するまで２つの室部分Ｆ１’、Ｆ２’が互いの方へ軸方向に押し込まれ、次いで、ヒューズハウジング素子を相対的に回転させて、突起７１を溝穴部分７０Ｒ内で溝穴の端部へ移動させ、突起７１を係止区分７０Ｌ内でラッチ止めするように解放する。
本発明の好ましい実施の形態を説明し、図示したが、当業者なら、本発明に対する他の実施の形態、応用及び変更が容易に明らかとなることを認識されたい。
【図１ａ】
0004260224.tif 000002
【図１ｂ】
0004260224.tif 000003
【図２】
0004260224.tif 000004
【図３】
0004260224.tif 000005
【図４】
0004260224.tif 000006